(57)【要約】      （修正有）【課題】ベッドへの乗り降りが容易で、かつ良好な検査精度が得られるシンチレ−ションカメラ装置を提供する。【解決手段】ベッド部への被検体２の乗り降りを補助する補助手段３００を備え、補助手段３００は、被検体２の乗り降りを補助する補助部と、該補助部を移動させる移動機構部４００とを備える。移動機構部４００は、被検体２がベッド部に乗り降りする第１の状態ではベッド２１０の近傍に補助部を移動させ、検出器５３０を動作させて検査を行う第２の状態では検出器５３０の動作域から補助部を退避させるようにする。【選択図】図４
2006284190.tif 000002
【特許請求の範囲】
【請求項１】
被検体を載置するベッド部と、放射線を検出する検出器と、前記検出器を多様に動かす機構部を持ち、前記ベッド部の長手方向に移動するガントリー部とを備えたシンチレ−ションカメラ装置において、
前記ベッド部への被検体の乗り降りを補助する補助手段を備え、
前記補助手段は、被検体の乗り降りを補助する補助部と、該補助部を移動させる移動機構部とを備え、
前記移動機構部は、被検体が前記ベッド部に乗り降りする第１の状態ではベッドの近傍に前記補助部を移動させ、
前記検出器を動作させて検査を行う第２の状態では前記検出器の動作域から前記補助部を退避させる
ことを特徴とするシンチレ−ションカメラ装置。
【請求項２】
被検体を撮像位置に設定する被検体設定手段と、被検体に投与した放射性同位元素から放出される放射線を検出する検出器と、該検出器の検出面側に配置して前記放射線の入射方向を制限するコリメータとを備え、前記検出器の検出値を前記被検体の収集イメージとして収集するシンチレーションカメラ装置において、
シンチレーションカメラ装置を、床面に設置されるレールと、該レールの長手方向に沿って形成されるベッド部と、前記レール上を移動可能に設置されるガントリー部と、前記ベッド部への被検体の乗り降りを補助する補助手段とを含んで構成し、
前記ベッド部は、レールの長手方向の両側に取り付けられる第１の支柱部及び第２の支柱部と、前記第１の支柱部と前記第２の支柱部によって両端部を支持されるベッドとから構成し、
前記第１の支柱部と第２の支柱部は前記ベッドを昇降する昇降機構部を有し、
前記ガントリー部は、その中央に円形の貫通穴を有し、該貫通穴に前記ベッドを内在させるように設置されるとともに、前記レール上を移動可能とする移動手段を備えた第１の筐体と、該第１の筐体に対して前記貫通穴を中心に回転可能に取り付けられる第２の筐体と、該第２の筐体に対して動作可能に取付けられる一対の検出器とを含んで構成され、
前記補助手段は、前記被検体の乗り降りを補助する補助部と、該補助部を移動させる移動機構部とを備え、
前記移動機構部は、被検体が前記ベッド部に乗り降りする第１の状態ではベッドの近傍に前記補助部を移動させ、
前記検出器を動作させて検査を行う第２の状態では前記検出器の動作域から前記補助部を退避させる
ことを特徴とするシンチレ−ションカメラ装置。
【請求項３】
請求項１記載のシンチレ−ションカメラ装置において、
前記ベッド部は、被検体を載置するベッドと、該ベッドを支持し、かつ前記ベッドを昇降する昇降機構部を備えている
ことを特徴とするシンチレ−ションカメラ装置。
【請求項４】
請求項１から３記載何れかのシンチレ−ションカメラ装置において、
前記補助部は、前記ベッド部の幅方向を拡張する補助ベッドであり、
前記移動機構部は前記ベッド部の長手方向に沿って前記補助ベッドを移動させる機構部を備えている
ことを特徴とするシンチレ−ションカメラ装置。
【請求項５】
請求項１から３記載何れかのシンチレ−ションカメラ装置において、
前記補助部は、前記ベッドの長手方向に沿った所定の位置に設けられる手すりであって、前記移動機構部は前記手すりをベッド部内に出没可能とする機構部を備えている
ことを特徴とするシンチレ−ションカメラ装置。
【請求項６】
請求項１から３記載何れかのシンチレ−ションカメラ装置において、
前記補助部は、前記ベッドの幅方向を拡張する平板であって、前記移動機構部は前記平板をベッド部内に出没可能とする機構部を備えている
ことを特徴とするシンチレ−ションカメラ装置。
【請求項７】
請求項１から３記載何れかのシンチレ−ションカメラ装置において、
前記補助部は、前記ベッド部の幅方向を拡張する補助ベッドであり、
前記移動機構部は前記補助ベッドを昇降する機構を備えている
ことを特徴とするシンチレ−ションカメラ装置。
【請求項８】
前記請求項２記載のシンチレ−ションカメラ装置において、
前記補助部は、前記ベッド部の幅方向を拡張する補助ベッドであり、
前記第１の支柱部は、前記補助ベッドを収納する補助部収納部を備え、
補助ベッドは、ベッドの両側で支持され、
前記移動機構部は、その一端を前記収納部に取り付けられ、他の一端は前記補助ベッドに取り付けられている
ことを特徴とするシンチレ−ションカメラ装置。
【請求項９】
前記請求項８記載のシンチレ−ションカメラ装置において、
前記第１の支柱部は、コリメータを収納するコリメータ収納棚を備えている
ことを特徴とするシンチレ−ションカメラ装置。
【請求項１０】
請求項１から３記載何れかのシンチレ−ションカメラ装置において、
前記補助部は、天井吊り下げられて前記ベッドの長手方向に沿った所定の位置に設けられる手すりであって、前記移動機構部は前記手すりを上下方向に昇降可能とする機構部を備えている
ことを特徴とするシンチレ−ションカメラ装置。
【請求項１１】
請求項７記載のシンチレ−ションカメラ装置において、
前記移動機構部は被検体の前記ベッドへの乗り降りを補助するためのステップを備えている
ことを特徴とするシンチレ−ションカメラ装置。
【発明の詳細な説明】
【技術分野】
【０００１】
本発明は、被検体を載置するベッドと放射線検出器とを備えたシンチレ−ションカメラ装置に関する。
【背景技術】
【０００２】
シンチレ−ションカメラ装置による検査は、被検体から放出される放射線を検出器で検出し、病変の画像を得ることで診断する。精度の高い画像を得るためには検出器をできるだけ被検体に接近させる必要がある。従来例では、検出器をあらゆる方向から被検体に接近させるため、被検体を載せるベッドには幅の狭いベッドを使用していた。
【０００３】
【特許文献１】特開平１１−０２３７１９号公報
【発明の開示】
【発明が解決しようとする課題】
【０００４】
従来のシンチレ−ションカメラ装置は、被検体を載せるベッドの幅が狭いため、ベッドへの乗り降りを行う際には意識的に身体を安定させながら被検体を適正な位置まで誘導する必要があり、幅の広いベッドに比べて作業量が多いという課題があった。
【０００５】
逆に、ベッドの幅を広くすると検出器を被検体に接近させることができないため、良好な検査精度が得られないという問題がある。したがって、従来のシンチレ−ションカメラ装置では、乗り降りのしやすさと良好な検査精度とがトレードオフの関係にあった。
【０００６】
本発明は、上記課題を解決するためになされたものであり、その目的はベッドへの乗り降りが容易で、かつ良好な検査精度が得られるシンチレ−ションカメラ装置を提供することにある。
【課題を解決するための手段】
【０００７】
本発明では、上記目的を達成するために、被検体が乗り降りする際にはベッドへの乗り降りを補助する手段を配置し、検査中は補助する手段を退避させる構成とする。
【０００８】
本発明に係るシンチレ−ションカメラ装置の代表的な発明では、被検体を載置するベッド部と、放射線を検出する検出器と、前記検出器を多様に動かす機構部を持ち、前記ベッド部の長手方向に移動するガントリー部とを備えたシンチレ−ションカメラ装置において、前記ベッド部への被検体の乗り降りを補助する補助手段を備え、前記補助手段は、被検体の乗り降りを補助する補助部と、該補助部を移動させる移動機構部とを備え、前記移動機構部は、被検体が前記ベッド部に乗り降りする第１の状態ではベッドの近傍に補助部を移動させ、前記検出器を動作させて検査を行う第２の状態では前記検出器の動作域から補助部を退避させるようにする。
【０００９】
また、本発明に係るシンチレ−ションカメラ装置の他の代表的な発明では、被検体を撮像位置に設定する被検体設定手段と、被検体に投与した放射性同位元素から放出される放射線を検出する検出器と、該検出器の検出面側に配置して前記放射線の入射方向を制限するコリメータとを備え、前記検出器の検出値を前記被検体の収集イメージとして収集するシンチレーションカメラ装置において、シンチレーションカメラ装置を、床面に設置されるレールと、該レールの長手方向に沿って形成されるベッド部と、前記レール上を移動可能に設置されるガントリー部と、前記ベッド部への被検体の乗り降りを補助する補助手段とを含んで構成し、前記ベッド部は、レールの長手方向の両端部に取り付けられる第１の支柱部と第２の支柱部と、前記第１の支柱部と第２の支柱部によって両端部を支持されるベッドとから構成し、前記第１の支柱部と第２の支柱部は前記ベッドを昇降する昇降機構部を有し、前記ガントリー部は、その中央に円形の貫通穴を有し、該貫通穴に前記ベッドを内在させるように設置されるとともに、前記レール上を移動可能とする移動手段を備えた第１の筐体と、該第１の筐体に対して前記貫通穴を中心に回転可能に取り付けられる第２の筐体と、該第２の筐体に対して動作可能に取付けられる一対の検出器とを含んで構成され、前記補助手段は、前記被検体の乗り降りを補助する補助部と、該補助部を移動させる移動機構部とを備え、前記移動機構部は、被検体が前記ベッド部に乗り降りする第１の状態ではベッドの近傍に補助部を移動させ、前記検出器を動作させて検査を行う第２の状態では前記検出器の動作域から補助部を退避させるようにする。
【発明の効果】
【００１０】
本発明によれば、ベッドへの乗り降りが容易で、かつ良好な検査精度が得られるシンチレ−ションカメラ装置を提供することができる。
【発明を実施するための最良の形態】
【００１１】
以下、本発明に係るシンチレ−ションカメラ装置の実施の形態を図１から図１７を参照して詳細に説明する。図１から図９が第１の実施の形態を示し、図１０から図１２が第２の実施の形態を示し、図１３から図１４が第３の実施の形態を示し、図１５から図１７が第４の実施の形態を示している。この説明においては、同一の部位や機能、矢印などは同一符号を持って示し重複した説明を省略する。
【実施例１】
【００１２】
先ず、図１を参照して、本発明の第１の実施の形態に係るシンチレ−ションカメラ装置の概略構造を説明する。図１は第１の実施の形態に係るシンチレ−ションカメラ装置の外観斜視図である。
【００１３】
図１において、符号１で総括的に示すのは、この実施の形態に係るシンチレ−ションカメラ装置である。このシンチレ−ションカメラ装置１は、被検体から放出される放射線を検出器で検出し、病変の画像を得ることで診断する。一般に、シンチレ−ションカメラ装置１による検査は、放射線を含む薬剤をあらかじめ被検体に投与した後、ベッド部の上に載置された被検体から放出される放射線を前記ベッド部の周囲を移動する一対の検出器で検出し、病変の画像を得ることで診断する。精度の高い画像を得るためには前記一対の検出器をできるだけ被検体に接近させる必要がある。病変の予測される部位は被検体によってさまざまであるため、前記一対の検出器を多様に移動させることでそれぞれの被検体の病変部位に接近させる必要がある。特にSPECT検査は、被検体の体軸(身長)方向に連続的に診断画像を得るものであり、検査中の検出器の動きも連続的に自動で行われる。
【００１４】
このシンチレ−ションカメラ装置１の取り得る状態は、被検体２がベッド部に乗り降りする第１の状態と、前述のような検査中の第２の状態とに大別されるが、図１は被検体２が乗り降りする第１の状態を示している。
【００１５】
この実施の形態では、シンチレ−ションカメラ装置１を例に説明しているが、本実施の形態は、被検体２をベッド部に乗せた第２の状態で検出器を接近させる検査形態を持つ他の医用検査装置にも適用できる。
【００１６】
このシンチレ−ションカメラ装置１は、一対のレール１００と、レール１００の長手方向に設置されるベッド部２００と、レール１００に沿ってＸ１方向に移動可能に設置されるガントリー５００と、図示しないオペレーションコンソール（位置計算手段）とを含んで構成される。なお、この実施の形態では、ガントリー５００にリモコンで操作可能な表示装置５０２を備えて、この表示装置５０２を介して操作や画像情報を得ることができる。
前記ベッド部２００は、その長手方向を前記Ｘ１方向に沿って配置される板状のベッド２１０と、このベッド２１０の一端を支持する支柱２２０と、前記ベッド２１０の他の一端を支持するコリメータオートチェンジャー２３０と、Ｘ２方向（前記Ｘ１方向と同一方向）に沿ってベッド２１０に移動可能に取付けられる補助手段３００とで構成される。ここで、前記支柱２２０と前記コリメータオートチェンジャー２３０は、前記ベッド２１０を昇降する昇降手段を備えている。
【００１７】
前記ガントリー５００は、中央に円形の貫通穴５０１を有し、当該貫通穴５０１に前記ベッド２１０を内在させて前記レール１００上に設置される。このガントリー５００は、前記Ｘ１方向に移動する第１の筐体５１０と、この筐体５１０に対して前記貫通穴５０１を中心とした回転および前記Ｘ１方向と直交するＺ１方向に移動可能に取付けられる第２の筐体５２０と、この第２の筐体５２０に対して動作可能に取付けられる一対の第１の検出器５３０と第２の検出器５４０とを含んで構成される。
そして、この実施の形態に係るシンチレ−ションカメラ装置１の特徴の一つはベッド２１０への被検体２の乗り降りを向上させる前記補助手段３００を設けた点にある。
【００１８】
この補助手段３００は、ベッド２１０の横幅を拡張し、ベッド２１０の長手方向には被検体２が乗り降りする際に必要な長さを有する形状を持った補助ベッドとしての機能を果たすものである。これにより、被検体２が身体を支持するための十分な面積が得られるから、被検体２が容易に乗り降りを行うことができる。一方、被検体２の載置を介助する作業者にとしても、作業量を軽減することができる。
【００１９】
しかも、この実施の形態では、第２の状態では前記補助手段３００をＸ２方向に移動し、コリメータオートチェンジャー２３０の中に退避させることができる。これにより、前記補助手段３００を第１の検出器５３０および第２の検出器５４０の動作領域から退避させることができるので、第１の検出器５３０および第２の検出器５４０を被検体２に接近させることができるから、精度の高い診断画像を得ることができる。
【００２０】
さらに、この実施の形態では、補助手段３００の退避場所をコリメータオートチェンジャー２３０の中に設けているので、スペースを有効利用した収納となり、シンチレ−ションカメラ装置１全体の設置面積を小さくすることができる。なお、補助手段３００の移動は必要時に自動で行われるが、手動で移動させるようにしても良い。
【００２１】
以下、図２から図７を参照して、この実施の形態に係るシンチレ−ションカメラ装置１を更に詳細に説明する。
先ず、図２を参照して、この実施の形態に係るシンチレ−ションカメラ装置の装置構成を説明する。図２はシンチレ−ションカメラ装置の装置構成を示すブロック図である。
【００２２】
図２において、シンチレ−ションカメラ装置１は、前記ガントリー５００と前記レール１００と前記ベッド部２００と制御部１０とを含んで構成される。前記制御部１０は、前記オペレーションコンソールあるいは前記ガントリー５００に設けられ、前記オペレーションコンソールなどから入力される動作指示に基づいて、このシンチレ−ションカメラ装置１を統括的に制御する。
【００２３】
前記ガントリー５００を構成する第１の筐体５１０は、前後移動機構５１１を備えており、前後移動機構５１１を介してレール１００上を移動することができる。さらに、第１の筐体５１０は、回転機構５１２と左右動機構５１３とを備えており、この回転機構５１２と左右動機構５１３を介して、第２の筐体５２０を回転および左右（図１のＺ1方向）に移動させることができる。
【００２４】
第２の筐体５２０は、第１の上下動機構５２１と第１の回転機構５２２とを備えており、これらにより第１の検出器５３０を上下に移動および回転させることができる。また同様に、第２の筐体５２０はまた、第２の上下動機構５２３と第２の回転機構５２４を備えており、これらにより第２の検出器５４０を上下に移動および回転させることができる。
以上の構造により、第１の検出器５３０と第２の検出器５４０を前記ベッド部２００の周囲で多様に動作させることができ、被検体２の症状に合わせた多様な検査に対応させることができる。
【００２５】
第１の検出器５３０および第２の検出器５４０の放射線を検出する検出面には、それぞれ第１のコリメータ５３１および第２のコリメータ５４１が配置されている。これらのコリメータは、平板形状であり、放射線の透過を制限するフィルターの機能を備えている。また、このコリメータは、被検体２に投与される放射線を含んだ薬剤の種類に合わせて交換する必要があるが、この実施の形態では、薬剤の種類に対応した交換用コリメータ２０３を前記コリメータオートチェンジャー２３０内に複数枚用意している。
【００２６】
このコリメータオートチェンジャー２３０は、前記レール１００側に複数段配置される交換用コリメータ２０３の収納棚と、コリメータ交換機構２０２を備えている。この実施の形態では、コリメータの交換モードを備え、この交換モードが設定されると、前記制御部１０が前記ガントリー５００を前後動機構５１１を動作させて前記コリメータオートチェンジャー２３０に接近させ、前記第１、２の上下動機構部と第１，２の回転機構とを動作させて、前記第１の検出器５３０および第２の検出器５４０を交換用姿勢とするとともに、前記コリメータ交換機構２０２を動作させて、複数の交換用コリメータ２０３と第１のコリメータ５３１および第２のコリメータ５４１の交換を自動で行うことができる。
【００２７】
前記ベッド部２００は、ベッド２１０と支柱２２０とコリメータオートチェンジャー２３０と補助手段３００とを含んで構成される。支柱２２０とコリメータオートチェンジャー２３０はそれぞれ上下動機構２２１と上下動機構２３１を備えており、これらを介して、ベッド２１０の両端を支持してベッド２１０を上下方向（Ｙ1方向）に昇降させることができる。
【００２８】
また、この実施の形態では、補助手段移動機構４００を備えて、補助手段３００を前記制御部１０が動作制御する。したがって、前記第１の状態では、補助手段３００をベッド２１０の所定の位置に移動させてベッド２１０の横幅を拡張することができ、さらに第２の状態では、補助手段３００をコリメータオートチェンジャー２３０の中に退避させることができる。
【００２９】
このように、このシンチレ−ションカメラ装置１は、検査中の第２の状態と、被検体２が乗り降りする第１の状態との２つの状態を取ることができる。すなわち被検体２が乗り降りする第１の状態では、操作者の操作を受けた制御部１０が、ベッド２１０を下げ、かつベッド２１０の近傍に補助手段３００を移動させる姿勢を取らせる。一方、検査を行う第２の状態では、操作者の操作を受けた制御部１０が、補助手段３００をコリメータオートチェンジャー２３０の中に退避させ、ベッド２１０を上げ、ガントリー５００を検査可能な位置まで移動するように制御する。
【００３０】
次に、図３を参照して、この実施の形態に係るシンチレ−ションカメラ装置の部品構成を説明する。
図３において、前記したように、シンチレ−ションカメラ装置１は、一対のレール１００と、この一対のレール１００の間に、その長手方向に沿って設置されるベッド部２００と、ガントリー５００とを含んで構成される。ベッド部２００は、ベッド２１０と、支柱２２０と、コリメータオートチェンジャー２３０とで構成される。
【００３１】
ベッド２１０の一端は支柱２２０に支持されており、他の一端は、第１の支持部２０１Ａと第２の支持部２０１Ｂを介してコリメータオートチェンジャー２３０によって支持される。ここで、この実施の形態では、ベッド２１０の一端を前記コリメータオートチェンジャー２３０で兼用している。しかし、このコリメータオートチェンジャー２３０は、図１に示すように、レール１００側の筐体面に交換用コリメータ２０３の収納棚を備えている。このため、単純に一本のベッド２１０を昇降するための上下動機構２３１を備えると、前記収納棚の中央を塞いでしまうことになる。そこで、この実施の形態では、前記上下動機構２３１を収納棚の両側に設けることで、収納棚の使い勝手を向上している。そして、この実施の形態では、ベッド２１０の他端の幅方向の両側に前記第１の支持部２０１Ａと第２の支持部２０１Ｂを前記一対の上下動機構２３１に取り付ける構造を採用している。
【００３２】
ガントリー５００は一対の脚部５０３を備えた第１の筐体５１０と、第２の筐体５２０と、第１の検出器５３０と、第２の検出器５４０とで構成される。ガントリー５００の第１の筐体５１０はベッド部２００の長手方向を軸とした横姿勢の円柱形状と、この円柱を下方で支持する脚部５０１とがつながった一体形状を有する。第２の筐体５２０の形状は主に第１の筐体５１０と同様の横姿勢の円柱形状であり、第１の筐体５１０と接して形成される。第２の筐体５２０は、対向する外周面に外周方向に張り出した一対の張出部５２５を有し、この張出部５２５にそれぞれ第１の検出器５３０と、第２の検出器５４０とが取り付けられる。
【００３３】
また、ガントリー５００の第１の筐体５１０と第２の筐体５２０はともに同形状の円形の貫通穴５０１をこの横姿勢の円柱形状の中央に有し、当該貫通穴５０１に前記ベッド２１０を挿入して、前記一対の脚部５０１が前記一対のレール１００の上に乗るように設置される。
【００３４】
したがって、一対のレール１００の上に設置されるガントリー５００は、その中央に形成される貫通穴５０１を前記ベッド２１０によって貫通され、このベッド２１０は、前記一対のレール１００の一端側に固定される支柱２２０と、前記一対のレール１００の他端側に固定されるコリメータオートチェンジャー２３０によって両端を支持されるように床面に設置される。
【００３５】
次に、図４を参照して、この実施の形態に係るシンチレ−ションカメラ装置１の、被検体２が乗り降りする第１の状態と検査中の第２の状態を説明する。図４はシンチレ−ションカメラ装置１の設置状態の断面図であり、（ａ）図で示すのは被検体２が乗り降りする第１の状態図（図１と同じ状態）、（ｂ）図は検査中のある１つの姿勢を示す第２の状態図である。
【００３６】
（ａ）図において、被検体２はベッド２１０の上に上向きの姿勢で寝ることができる。ベッド２１０は、ガントリー５００の貫通穴５０１を通して、左側の一端をコリメータオートチェンジャー２３０に支持され、右側の一端を支柱２２０に支持される。第２の検出器５４０は第２のコリメータ５４１の検出面が被検体２と正対する姿勢で配置されている。なお、図示していないが。第１の検出器５３０は第１のコリメータ５３１の検出面が被検体２と正対する姿勢で前記第２の検出器５４０と対向して配置されている。
【００３７】
（ａ）図の状態はベッド２１０の高さが下がった状態であり、ベッド２１０はＹ２方向に移動させることで（ｂ）図の状態まで上昇させることができる。補助手段３００は被検体２の乗り降りを補助することができるよう、ベッド２１０に沿った所定の位置に配置されている。また、補助手段３００は補助手段移動機構４００によりＸ３方向に移動することで（ｂ）図の状態とすることができる。
【００３８】
（ｂ）図の状態は検査中の一状態であり、（ａ）図と比較して、ベッド２１０の位置が上がり、補助手段３００がコリメータオートチェンジャー２３０内に退避し、ガントリー５００がレール１００上をＸ４方向に移動し、第２の筐体５２０が第１の筐体５１０に対して９０度回転している。この回転により第１の検出器５３０は上側に、第２の検出器５４０は下側に配置され、第１のコリメータ５３１と第２のコリメータ５４１とともに断面としてあらわれている。第１の検出器５３０は第１の上下動機構５２１によりＹ３方向に、第２の検出器５４０は第２の上下動機構５２３によりＹ４方向に、被検体２の体表面近傍までそれぞれ移動させることができる。
【００３９】
次に、図５から図７を参照して、この実施の形態に係るシンチレ−ションカメラ装置１の、補助手段３００の構造を更に説明する。図５は被検体２が乗り降りする第１の状態のベッド部２００と補助手段３００とを示す概略外観図であり、（ａ）図は側面図、（ｂ）図は正面図である。
【００４０】
図５の（ａ）図および（ｂ）図において、コリメータオートチェンジャー２３０に近接して配置されたベッド２１０は、その長手方向に沿って形成される凹部２１１が両側面に形成されており、補助手段３００に形成されている凸部３０１と嵌合する。即ち、補助手段３００は、その上面中央にベッド２１０を収納する嵌合凹部３０２が形成され、この嵌合凹部３０２にベッド２１０を挿入するとすることで、ベッド２１０の上面と、その両側に形成される補助手段３００の上面が面一と成るように設定されている。前記嵌合凹部３０２の内壁面と、この内壁面と隣接して摺動面となるベッド２１０の両側面には前記凸部３０１と、この凸部３０１と嵌合する前記凹部２１１がベッド２１０の長手方向に沿って形成されている。この嵌合構造により、補助手段３００は、前記ベッド２１０の両側面に支持されて、このベッド２１０の長手方向に沿って移動することができる。
【００４１】
また、前記ベッド２１０の長手方向の延長上に位置するコリメータオートチェンジャー２３０には、補助手段３００を収納する補助手段収納部４０２が形成されている。そして、この補助手段収納部４２０の天井面でかつ前記ベッド２１０の長手方向の延長上に、前記ベッド２１０と同一形状の補助手段固定部４０１が形成されている。したがって、前記補助手段固定部４０１の両側面には、前記凹部２１１と連続する凹部２１１Ａが形成されている。このため、補助手段３００は、ベッド２１０が補助手段固定部４０１と同じ高さに位置する状態で、ベッド２１０の凹部２１１から前記補助手段固定部４０１の前記凹部２１１Ａに乗り換えることができるから、補助手段収納部４０２内に至るまでベッド２１０の長手方向に移動させてコリメータオートチェンジャー２３０内に収納することができる。
【００４２】
補助手段３００とコリメータオートチェンジャー２３０は、補助手段３００の下側に配置された補助手段移動機構４００により接続される。この補助手段移動機構４００は、一端を補助手段３００の下側に取り付けられ、他端を補助手段収納部４０２に取り付けられる伸縮機能を備えており、前記制御部１０からの信号により、補助手段３００をベッド２１０の長手方向に沿って移動させて、補助手段３００を補助手段収納部４０２に収納したり、あるいは補助手段収納部４０２から補助手段３００を押し出して、ベッド２１０の所定の位置に移動させることができる。
【００４３】
（ｂ）図において、この実施の形態に係る補助手段３００は、ベッド２１０よりも幅の広い形状を有し、補助手段３００の上面は、ベッド２１０の上面と高さが合っているため、被検体２が乗り降りするのに適した形状と成っている。また、（ａ）図において、補助手段３００はベッド２１０の長手方向にも被検体２が乗り降りするのに十分な長さを有する形状と成っている。
図６は図５の状態の概略断面図であり、（ａ）図は図５の（ｂ）図におけるＡ−Ａ‘ 断面図、（ｂ）図は前記図５の（ｂ）図におけるＢ−Ｂ’ 断面図である。
【００４４】
図６の（ａ）図および（ｂ）図において、この実施の形態では、前記補助手段移動機構４００を、補助手段収納部４０２内に固定された第１の伸縮部４１３と、前記第１の伸縮部４１３に対してベッド２１０の長手方向に伸縮する第２の伸縮部４１２と、前記第２の伸縮部４１２に対してベッド２１０の長手方向に伸縮する第３の伸縮部４１１とで構成している。前記第３の伸縮部４１１は補助手段３００の下面に接続されている。この補助手段移動機構４００は前記第１の伸縮部４１３と、前記第２の伸縮部４１２と、前記第３の伸縮部４１１とを連動して伸縮させることにより、補助手段３００をベッド２１０の長手方向に移動することができる。図６の状態は被検体２が乗り降りする第１の状態であり、補助手段３００は、補助手段移動機構４００がベッド２１０の長手方向に最も伸びた状態で配置されている。ベッド２１０より幅が広い形状の補助手段３００がこの位置に配置されることにより、被検体２は、ベッド２１０に乗る際には補助手段３００に座りながら、または補助手段３００に手をつきながら身体を安定させて乗り降りすることができる。
【００４５】
図７は補助手段３００がコリメータオートチェンジャー２３０内に収納された状態を示す概略断面図であり、（ａ）図は前記図６おける（ａ）図と同じ位置の断面図であり、（ｂ）図は前記図６おける（ｂ）図と同じ位置の断面図である。
図７の（ａ）図および（ｂ）図は、コリメータオートチェンジャー２３０内に補助手段３００を退避した状態であり、この補助手段３００退避状態では、前記補助手段移動機構４００は、前記制御部１０からの信号により、最も縮んだ状態と成っている。即ち、前記退避状態では、前記第２の伸縮部４１２が前記第１の伸縮部４１３の中に移動され、前記第３の伸縮部４１１が前記第２の伸縮部４１２の中に移動した状態となっている。したがって、前記第３の伸縮部４１１に接続された補助手段３００は、補助手段収納部４２０内に引き込まれた状態と成る。このため、補助手段収納部４０２は、前記補助手段移動機構４００が縮んだ状態で、前記補助手段移動機構４００と前記補助手段３００とを完全に収納できる空間を備えている。これにより、この図７の退避状態では、前記補助手段３００をコリメータオートチェンジャー２３０に対して飛び出ないようにすることができる。
【００４６】
したがって、この図７の前記補助手段３００の退避した状態は、検査中の第１の検出器５３０と第２の検出器５４０の動作域外に退避している状態となるため、前記両検出器を多様に動かす検査において支障をきたすことはない。さらに、本実施の形態では前記補助手段３００がコリメータオートチェンジャー２３０内に収納されるため、新たな別の収納場所や収納のための別の筐体を必要とせず、シンチレ−ションカメラ装置１全体の設置面積が大きくなるという問題を回避した効率的な配置になっている。
【００４７】
次に、図８，９を参照して、この実施の形態に係るシンチレ−ションカメラ装置１の使用手順を説明する。図８は使用状態の外観図であり、（ａ）図〜（ｄ）図は、検査前の状態から、被検体が乗る際の状態、さらに検査中の状態までを順に示すシンチレ−ションカメラ装置の斜視図である。
【００４８】
（ａ）図は、シンチレ−ションカメラ装置１のホームポジションの状態を示している。ベッド２１０の高さは所定の高さに上がっており、第２の筐体５２０は回転角度０度の状態であり、補助手段３００はコリメータオートチェンジャー２３０内に配置されている。このホームポジションの状態において、操作者が前記オペレーションコンソールを介して操作することにより、前記制御部１０は、先ず第２の筐体５２０を回転角度９０度まで回転させ、次にベッド２１０の高さを乗り降りに適した所定の高さまで下げ、さらに補助手段３００をベッド２１０に沿って所定の位置まで移動させる。この状態が（ｂ）図の状態である。この（ｂ）図に示す第１の状態であれば、ベッド２１０は被検体２が乗り降りするのに適した高さであり、被検体２が身体を横たえるのに十分なベッド幅を確保することができるので、被検体２が補助手段３００の補助を使用して身体を支持しながらベッド２１０に乗って仰向けに寝ることができる。また、（ａ）図から（ｂ）図までの遷移は前記制御部１０により自動で行われるため、操作者の操作量は軽減される。
【００４９】
（ｂ）図に示す第１の状態から被検体２がベッド２１０に仰向きに寝た後、前記オペレーションコンソールを介して操作することにより、前記制御部１０は補助手段３００をコリメータオートチェンジャー２３０内に退避させ、（ｃ）図の状態となる。次に前記制御部１０は被検体２が仰向きに寝かされたベッド２１０を所定の高さまで上げ、第２の筐体５２０を回転角度０度の状態に戻す。この状態が（ｄ）図に示す第２の状態であり、検査直前の状態である。検査中の前記制御部１０は、操作者の操作や、あらかじめ操作者が設定した内容により、ガントリー５００を前記図９で説明するように多様に動かし、検出した放射線から診断画像を取得する。検出作業が終了すると、操作者の操作指示を受けて、前記制御部１０は、前記（ｃ）図の状態まで戻す。即ち第２の筐体５２０を回転角度９０度まで回転させ、次にベッド２１０の高さを所定の高さまで下げる。検査終了時、被検体２はこの状態ままベッド２１０から降りることもできるが、操作者の操作を受付けて、前記制御部１０が補助手段３００を前記（ｂ）図の位置まで移動させることにより、（ｂ）図に示す第１の状態に戻すので、被検体２は、補助手段３００を使用しながら降りることができる。
【００５０】
最後に、被検体２がベッド２１０から降りたことを確認した後、操作者がホームポジションへの指示を行なうことにより、前記制御部１０は、補助手段３００をコリメータオートチェンジャー２３０内に退避させ、ベッド２１０を所定の高さまで上げ、第２の筐体５２０を回転角度０度の状態まで回転させて前記（ａ）図の状態まで自動で戻す。
【００５１】
なお、この実施の形態では、ベッド２１０を第２の状態の位置まで上昇させた位置をホームポジションとしているので、このホームポジションの状態からガントリ５００をコリメータオートチェンジャー２３０側に移動させてコリメータを交換するモードに移行させ易い。しかし、ホームポジションの位置は、これに限定されるものではない。例えば、第１の状態をホームポジションとすることができる。
【００５２】
次に、図９を参照して、この実施の形態に係るシンチレ−ションカメラ装置１の検査中の動作を更に説明する。
図９において、（ａ）図、（ｂ）図、（ｃ）図は検査中の形態の一例を示す斜視図である。
【００５３】
（ａ）図において、ガントリー５００はレール１００上を移動し、Ｘ１方向の任意の位置に配置されている。第１の検出器５３０をＹ３方向に、第２の検出器５４０をＹ４方向に移動し、被検体２の身体を挟むようにそれぞれ上側と下側から接近させている。
【００５４】
（ｂ）図においては、前記の（ａ）図の移動に加え、第２の筐体５２０が第１の筐体５１０に対して任意の角度にＰ１方向に回転し、被検体２の身体を両検出器が挟むような姿勢のまま斜めの方向から接近させている。Ｐ１方向の回転と前記Ｘ１方向の移動と前記Ｙ３、Ｙ４方向の移動を連続的に制御することにより、被検体２の身体の周りを両検出器が螺旋状に回るSPECT検査を行うことができる。
【００５５】
（ｃ）図においては、第２の筐体５２０が第１の筐体５１０に対してＺ１方向に移動し、さらに第１の検出器５３０がＱ１方向に回転し、第２の検出器５４０がＱ２方向に回転している。このように両検出器の検出面を所定の角度に設定して被検体２に接近させる形態は、特に心臓部の検査に有効である。
【００５６】
前記した（ａ）から（ｂ）図の状態は、代表的な検査姿勢を示すものである。特に、この実施の形態では、図９の（ｂ）図、（ｃ）図が示す例のように、一対の検出器は被検体２の身体の上下方向からだけではなく、多様な角度から接近させて検査が行われるため、被検体２を載置するベッド２１０は幅の狭い形状を有する必要がある。一方、被検体２の乗り降りを補助する補助手段３００は、このような一対の検出器の動作域から検査時には退避させる必要がある。この実施の形態では、被検体２が乗り降りする第１の状態では補助手段３００が所定の位置に配置され、検査を行なう第２の状態では一対の検出器の動作域から退避させることができるので、ベッド２１０への乗り降りが容易で、かつ良好な検査精度が得られるシンチレ−ションカメラ装置１を提供することができる。
【実施例２】
【００５７】
次に、図１０、図１１、図１２を参照して、第２の実施の形態を説明する。
図１０は第２の実施の形態に係るシンチレ−ションカメラ装置の外観斜視図である。
【００５８】
図１０において、符号２０で総括的に示すのは、この実施の形態に係るシンチレ−ションカメラ装置であり、図１０は、被検体２が乗り降りする第１の状態を示している。ベッド部２００は、ベッド２１０と、前記ベッド２１０の一端を支持する支柱２２０と、前記ベッド２１０の他の一端を支持する支柱２２２とで構成される。
【００５９】
そして、この実施の形態の特徴の１つは、出没可能な補助手段３２０を備えた点にある。この実施の形態に係る補助手段３２０は、前記ベッド２１０の長手方向に沿って長い棒状のの手すりで構成され、乗り降りする際に被検体２がつかまり易い位置に配置されている。つまり、この実施の形態では、被検体２が図１０における前記ベッド２１０の幅方向の手前側から乗り降りするように設定されている。そして、その手すり部分３２１は、前記ベッド２１０の幅方向にやや奥側、高さ方向では前記ベッド２１０の上面より高い所定の位置に配置されている。したがって、被検体２が乗り降りする際には、補助手段３２０の手すり部分３２１につかまることで身体を支えながら乗り降りすることができる。
【００６０】
また、補助手段３２０の手すり部分３２１の両端を支持する手すり両端部３２２は前記ベッド２１０の側面に取り付けられている。しかも、この両端部３２２は被検体２を包み込むような大きく曲げられた形状としている。このため、この補助手段３２０は、被検体２が前記ベッド２１０の奥側へ落ちるのを防ぐことができる。さらに、被検体２が前記ベッド２１０へ乗った後においても、補助手段３２０につかまることにより、この補助手段３２０を支えとして身体を適切な位置へ導くことができる。
【００６１】
図１１は第２の実施の形態に係るシンチレ−ションカメラ装置２０の装置構成を示すブロック図である。
図１１において、ベッド部２００はベッド２１０と支柱２２０と支柱２２２と補助手段３２０と補助手段移動機構４２０とで構成される。支柱２２０と支柱２２２はそれぞれ上下動機構２２１と上下動機構２２３を備えており、ベッド２１０の両端を支持して上下に移動させることができる。この実施の形態では補助手段３２０は補助手段移動機構４２０を備えており、補助手段３２０をベッド２１０の幅方向に移動させることにより、検査中の第２の状態では第１の検出器５３０と第２の検出器５４０の動作域から退避させ、被検体が乗り降りする第１の状態ではベッド２１０の近傍に配置することができる。
【００６２】
図１２を参照して、この実施の形態に係るシンチレ−ションカメラ装置２０の補助手段の構造を説明する。図１２はベッド２１０と、補助手段３２０と、補助手段移動機構４２０とを示す概略断面図であり、（ａ）図は被検体が乗り降りする第１の状態、（ｂ）図は補助手段３２０が退避した第２の状態を示している。
【００６３】
図１２の（ａ）図および（ｂ）図において、ベッド部は、ベッド２１０と、補助手段３２０と、補助手段３２０をベッド２１０から出没させる補助手段移動機構４２０を備えている。この実施の形態では、ベッド２１０の上面が凹円弧の形状となっている。そして、この円弧に合わせて前記手すり両端部３２２も同様な円弧形状を備えている。前記補助手段移動機構４２０は前記ベッド２１０の下面に取り付けられて、前記手すり両端部３２２を収納する円弧形状の断面形状を備えた収納部４２１を備えている。この実施の形態では、前記構造を備えることにより、第１の状態では、補助手段３２０をＺ２方向に移動させて、この補助手段３２０を所定の位置に露出することができ、また、第２の状態では、補助手段３２０をＺ方向に移動させて、この補助手段３２０を収納部４２１に収納して一対の検出器の動作領域から退避させることができる。
【００６４】
（ａ）図の状態では補助手段３２０の前記手すり部分が前記ベッド２１０の斜め上に配置されており、図１０において前述のように、被検体２が乗り降りする際につかまり易くなっている。また、（ａ）図において補助手段３２０はベッド２１０と連続する円弧状の形状であるため、乗り降りする際に被検体２の身体の周りに沿って配置され、被検体２の落下を防止する効果がある。
【００６５】
（ｂ）図の状態では、補助手段移動機構４２０により補助手段３２０がＺ２方向に円弧状に移動され、前記ベッド２１０の下面に退避した状態となっている。（ｂ）図において、補助手段３２０と補助手段移動機構４２０は放射線の透過に影響しない素材で形成され、前記一対の検出器の動作域外に配置されている。
【００６６】
この実施の形態では、補助手段３２０の移動方向が前記ベッド２１０の幅方向であるため、前記ベッド２１０の長手方向に退避場所を用意する必要がなく、装置全体の設置面積を節約することができる。また、補助手段３２０と補助手段移動機構４２０とが前記ベッド２１０に付属したものであるため、前記ベッド２１０の高さを上げたまま、（ａ）図の状態と（ｂ）図の状態の両方、または（ａ）図と（ｂ）図の間の状態を自由に取ることができる。つまり、（ａ）図の状態で被検体２が補助手段３２０の手すり部分３２１につかまったまま前記ベッド２１０の高さを上げたり、検査によってはそのまま検査を受けることもでき、補助手段３２０は被検体２を補助する役割として自由度を増すことができる。
【００６７】
さらに、この実施の形態の補助手段３２０は、例えば前記ベッド２１０の両側に２本配置することもできる。この場合は被検体２が前記ベッド２１０に載置された状態で両手で手すりにつかまることができ、より身体を移動させやすく、安定させやすい。また、検査によっては、補助手段３２０の移動量を調節し、検査に支障がない程度に前記ベッド２１０の幅方向から少量飛び出させることで、検査中においても手すりにつかまったり、手すりに両腕を置いて安定させることができ、特に検査時に腕からの投薬が必要な場合において有効である。
【００６８】
なお、この実施の形態では、補助手段移動機構４２０に補助手段３２０を出没させる図示しない駆動機構部を備えており、前記制御部１０の制御に基づいて前記駆動機構部を動作させている。しかし、前記駆動機構部を設けることなく補助手段３２０を手動で段階的に出没するようにしてもよい。  また、この実施の形態では、補助手段３２０をベッド２１０から出没させる構成としたが、補助手段３２０の手すり部３２１のみを天井から支持し、この手すり部３２１を昇降させるようにしても良い。すなわち、被検体が乗り降りする第１の状態では、手すり部３２１を図１２の（ａ）図で示すような所定の位置に天井から吊り下げて配置し、検査中の第２の状態では、例えば昇降機構部を天井に設けて手すり部３２１を上方向へ移動させることで、検出器の動作領域から退避するようにしても良い。
【実施例３】
【００６９】
次に、図１３、図１４を参照して、第３の実施の形態を説明する。
図１３は第３の実施の形態に係るシンチレ−ションカメラ装置３０の外観斜視図である。
【００７０】
図１３において、符号３０で総括的に示すのは、この実施の形態に係るシンチレ−ションカメラ装置であり、図１３は被検体２が乗り降りする際の状態を示している。
なお、第２の実施の形態と同一な部位や矢印などは同一符号をもって示し、重複した説明を省略する。
【００７１】
図１３において、補助手段３３０は、前記ベッド２１０の幅方向を拡張する前記ベッド２１０の上面と連続した円弧状の面を持つ円弧面３３３を持ち、かつ前記円弧面の先端側に開口部３３４を形成することにより、第２の実施の形態と同様の所定の位置に手すり部分３３１を備えている。前記手すり部分３３１の効果は第２の実施の形態と同様であり、この実施の形態の特徴は、第２の実施の形態の補助手段３２０の前記手すり部分以外の部分が面で覆われている点にある。この実施の形態の補助手段３３０は、被検体２が乗り降りする際に、被検体２を支持する面積が大きいため、第２の実施の形態と比べると、被検体２にとってより身体を安定させやすく、より快適であり、被検体２が前記ベッド２１０の奥側へ落ちるのをさらに効果的に防ぐことができる。
【００７２】
図１４を参照して、この実施の形態に係るシンチレ−ションカメラ装置３０の、補助手段の構造を説明する。図１４はベッド２１０と、補助手段３３０と、補助手段移動機構４３０とを示す概略断面図である。図１４において、（ａ）図は被検体が乗り降りする際の第１の状態、（ｂ）図は補助手段３２０が退避した第２の状態を示している。
【００７３】
図１４の（ａ）図および（ｂ）図において、ベッド部は、ベッド２１０と、補助手段３３０と、補助手段３３０をベッド２１０から出没させる補助手段移動機構４３０を備えている。この実施の形態では、ベッド２１０の上面が凹円弧の形状となっている。そして、この円弧に合わせて前記補助手段３３０も同様な円弧形状を備えている。前記補助手段移動機構４３０は前記ベッド２１０の下面に取り付けられて、前記補助手段３３０を収納する円弧形状の断面形状を備えた収納部４３１を備えている。この実施の形態では、前記構造を備えることにより、第１の状態では、補助手段３３０をＺ３方向に移動させて、この補助手段３３０を所定の位置に露出することができ、また、第２の状態では、補助手段３３０をＺ方向に移動させて、この補助手段３３０を収納部４３１に収納して一対の検出器の動作領域から退避させることができる。
【００７４】
（ａ）図において、補助手段３３０は、第２の実施の形態に比べて、乗り降りする際に被検体２の身体の周りに沿って配置される円弧状の面積がより広くなっており、被検体２を支持する効果が高い。また、補助手段３３０の上部の所定の位置に開口部３３４を設けることにより、第１の手すり部３３１と第２の手すり部３３２が形成されており、被検体２は前記手すりのどちらにもつかまることができる。
【００７５】
（ｂ）図の状態では、補助手段移動機構４３０により補助手段３３０がＺ３方向に円弧状に移動され、前記ベッド２１０の下面に退避した状態となっている。（ｂ）図における補助手段３３０と補助手段移動機構４３０の断面積は、第２の実施の形態に比べて変化しない効率的な配置になっている。補助手段３３０と補助手段移動機構４３０は放射線に影響しない素材で形成され、前記一対の検出器の動作域外に配置されている。
【００７６】
この実施の形態においても、前記ベッド２１０の高さに依らず、補助手段３３０は（ａ）図と（ｂ）図の間の状態を自由に取ることができるため、第２の実施の形態と同様の効果がある。これに加え、この実施の形態では、検査中に補助手段３３０をある程度調節して移動させた場合においても、被検体２を支持する面積の拡大量が大きい分効果が高い。
【実施例４】
【００７７】
次に、図１５、図１６、図１７を参照して、第４の実施の形態を説明する。
図１５は第４の実施の形態に係るシンチレ−ションカメラ装置の外観斜視図である。
図１５において、符号４０で総括的に示すのは、この実施の形態に係るシンチレ−ションカメラ装置であり、図１５は被検体２が乗り降りする第１の状態を示している。なお、第２の実施の形態と同一な部位や矢印などは同一符号をもって示し、重複した説明を省略する。
【００７８】
図１５において、補助手段３４０は、前記ベッド２１０よりも幅方向に拡張した形状を持つ天板３４１と、床面に配置される脚部筐体３４３と、前記天板３４１と前記脚部筐体３４３とを柔軟な素材でつなぐ蛇腹部３４２とで構成される。
この実施の形態の補助手段３４０の天板３４１による効果は、第１の実施の形態の前記補助手段３００による効果と同様である。
【００７９】
この実施の形態は、前記補助手段３４０の退避する方向が、上下のＹ５方向であることを特徴とする。このため、前記ベッド２１０の長手方向に退避場所を用意する必要がなく、装置全体の設置面積を節約することができる。
【００８０】
図１６は第４の実施の形態に係るシンチレ−ションカメラ装置の装置構成を示すブロック図である。
図１６において、補助手段３４０は補助手段移動機構４４０を備えており、この補助手段移動機構４４０を介して前記天板３４１を上下方向（Ｙ５方向）に移動させることにより、検査中の第２の状態では補助手段３４０を第１の検出器５３０と第２の検出器５４０の動作域から退避させ、被検体２が乗り降りする第１の状態では補助手段３４０をベッド２１０の近傍に配置することができる。この実施の形態では補助手段３４０と補助手段移動機構４４０とがベッド部２００から独立して構成されているので、取り外しが容易である。
【００８１】
図１７を参照して、この実施の形態に係るシンチレ−ションカメラ装置の、補助手段の構造を説明する。
図１７はベッド２１０と、補助手段３４０の概略構造を示す概略断面図であり、（ａ）図は被検体が乗り降りする第１の状態、（ｂ）図は補助手段３４０が退避した第２の状態を示している。
【００８２】
図１７の（ａ）図において、補助手段３４０は、ベッド２１０の下面に近接して配置された天板３４１と、床面３に配置された脚部筐体３４３と、天板３４１と脚部筐体３４３とを連結する一対の補助手段移動機構４４０と、補助手段移動機構４４０を覆う柔軟な素材で形成される蛇腹部３４２とで構成される。
【００８３】
天板３４１は、ベッド２１０に比べ被検体２が乗り降りするのに十分な幅の広い断面を持ち、前記天板３４１の上面と前記ベッド２１０の上面の高さを合わせるように、天板３４１の上面中央にベッド２１０を収納する凹部３４５を備えている。前記一対の補助手段移動機構４４０は、前記ベッド２１０の長手方向に２箇所配置されている。この補助手段移動機構４４０は、例えば、４本の棒を接続した各支点がそれぞれ回転することにより、上下方向（Ｙ５方向）に伸縮する構造を備えるようにする。このような伸縮構造を備えた補助手段移動機構４４０によれば、前記天板３４１の高さを（ａ）図の状態から（ｂ）図の状態までＹ５方向に下げることができる。
【００８４】
（ｂ）図の状態では、補助手段移動機構４４０を介して天板３４１をＹ５方向に移動させてベッド２１０の下方に移動した状態を示している。この構造によれば、天板３４１の床面３からの高さを低くすることができるから、前記補助手段３４０を前記一対の検出器の動作域外に退避させることができる。
【００８５】
この実施の形態では、補助手段３４０をベッド２１０から独立して移動することが可能なため、補助手段３４０を他の方法で退避させることもできる。例えば、補助手段３４０に自在車輪のような床面を移動する移動手段を備えることができる。このような移動手段を備えることにより、（ａ）図の状態において、補助手段移動機構４４０により、天板３４１がベッド２１０の下面より下に移動すれば、移動手段を介して、補助手段３４０をベッド２１０の長手方向だけでなく幅方向にも自由に移動することができる。つまり、退避場所によって天板３４１の面積が長手方向にも幅方向にも特に制限されない。この実施の形態では、例えば補助手段３４０に被検体２を寝かせた姿勢のままベッド２１０に移しかえることもできる。
（他の実施例）
【００８６】
上記実施例では、被検体の身体を支持することを主眼に説明したが、ベッドへの乗り降りの際に足をかけるためのステップを付加するようにしても良い。例えば図１７に点線で示すように、補助手段移動機構４４０の連結部にステップ３５０を設けて、前記補助手段移動機構４４０の伸縮に伴ってステップ３５０が上下に昇降するようにしても良い。この場合、被検体が乗り降りする第１の状態ではステップ３５０を踏み台にすることで容易に乗り降りすることができる。この効果は、被検体の身長が低い場合や、ベッド２１０が第１の状態での所定の位置よりも高い位置に移動されている場合において特に有効である。検査中の第２の状態では、ステップ３５０が前記補助手段移動機構４４０を介して検出器の動作領域から退避することは言うまでもない。
【図面の簡単な説明】
【００８７】
【図１】第１実施例のシンチレ−ションカメラ装置の外観斜視図である。
【図２】第１実施例のシンチレ−ションカメラ装置の構成を示すブロック図である。
【図３】第１実施例のシンチレ−ションカメラ装置の部品展開図である。
【図４】第１実施例のシンチレ−ションカメラ装置の概略断面図である。
【図５】第１実施例の被検体が乗り降りする際の補助手段を示す概略外観図である。
【図６】第１実施例の被検体が乗り降りする際の補助手段を示す概略断面図である。
【図７】第１実施例の補助手段が退避した状態を示す概略断面図である。
【図８】第１実施例のシンチレ−ションカメラ装置の使用手順を示す斜視図である。
【図９】シンチレ−ションカメラ装置の検査の形態の例を示す斜視図である。
【図１０】第２実施例のシンチレ−ションカメラ装置の外観斜視図である。
【図１１】第２実施例のシンチレ−ションカメラ装置の構成を示すブロック図である。
【図１２】第２実施例の補助手段の構造を示す概略断面図である。
【図１３】第３実施例のシンチレ−ションカメラ装置の外観斜視図である。
【図１４】第３実施例の補助手段の構造を示す概略断面図である。
【図１５】第４実施例のシンチレ−ションカメラ装置の外観斜視図である。
【図１６】第４実施例のシンチレ−ションカメラ装置の構成を示すブロック図である。
【図１７】第４実施例の補助手段の構造を示す概略断面図である。
【符号の説明】
【００８８】
１…第１実施例のシンチレ−ションカメラ装置、２…被検体、３…床面、１０…制御部、２０…第２実施例のシンチレ−ションカメラ装置、３０…第３実施例のシンチレ−ションカメラ装置、４０…第４実施例のシンチレ−ションカメラ装置、
１００…レール、２００…ベッド部、２０１Ａ…第１の支持部、２０１Ｂ…第２の支持部、２０２…コリメータ交換機構、２０３…交換用コリメータ、２１０…ベッド、２１１…第１実施例のベッドの凹部、２１１Ａ…第１実施例の補助手段固定部の凹部、２２０…支柱、２２１…上下動機構、２２２…第２の支柱、２２３…上下動機構、２３０…コリメータオートチェンジャー、２３１…上下動機構、３００…補助手段、３０１…第１実施例の補助手段の凸部、３２０…第２実施例の補助手段、３２１…第２実施例の手すり部、３２２…第２実施例の手すり両端部、３３０…第３実施例の補助手段、３３１…第１の手すり部、３３２…第２の手すり部、３３３…第３実施例の円弧面、３３４…第３実施例の開口部、３４０…第４実施例の補助手段、３４１…天板、３４２…蛇腹部、３４３…脚部筐体、３４５…第４実施例の凹部、３５０…ステップ、４００…第１実施例の補助手段移動機構、４０１…第１実施例の補助手段固定部、４０２…第１実施例の補助手段収納部、４１１…第１実施例の第３の伸縮部、４１２…第１実施例の第２の伸縮部、４１３…第１実施例の第１の伸縮部、４２０…第２実施例の補助手段移動機構、４３０…第３実施例の補助手段移動機構、４３１…第３実施例の収納部、４４０…第４実施例の補助手段移動機構、５００…ガントリー、５０１…貫通穴、５０２…表示装置、５０３…脚部、５１０…第１の筐体、５１１…前後動機構、５１２…回転機構、５１３…左右動機構、５２０…第２の筐体、５２１…第１の上下動機構、５２２…第１の回転機構、５２３…第２の上下動機構、５２４…第２の回転機構、５２５…張出部、５３０…第１の検出器、５３１…第１のコリメータ、５４０…第２の検出器、５４１…第２のコリメータ。
【図１】
2006284190.tif 000003
【図２】
2006284190.tif 000004
【図３】
2006284190.tif 000005
【図４】
2006284190.tif 000006
【図５】
2006284190.tif 000007
【図６】
2006284190.tif 000008
【図７】
2006284190.tif 000009
【図８】
2006284190.tif 000010
【図９】
2006284190.tif 000011
【図１０】
2006284190.tif 000012
【図１１】
2006284190.tif 000013
【図１２】
2006284190.tif 000014
【図１３】
2006284190.tif 000015
【図１４】
2006284190.tif 000016
【図１５】
2006284190.tif 000017
【図１６】
2006284190.tif 000018
【図１７】
2006284190.tif 000019